【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
アイソクロナス転送可能なデバイスがローカル接続されているデバイス制御装置に、ネットワークを介して接続されたクライアント装置であって、
前記デバイスに対するデータ入力を指示する入力要求指示手段と、
前記デバイスが直接接続されているようにシミュレートする仮想化制御手段と、
前記入力要求指示手段から前記デバイスに対してアイソクロナス転送によるデータ入力要求が指示されると、アイソクロナス入力要求を生成して送出する入力要求生成手段と、
前記入力要求生成手段から送出される前記アイソクロナス入力要求を受信し、当該受信した最初のアイソクロナス入力要求を前記デバイス制御装置に対して送信し、前記最初のアイソクロナス入力要求の受信以後に受信するアイソクロナス入力要求を前記デバイス制御装置に送信しないように制御する入力要求制御手段と、
前記アイソクロナス入力要求に対する応答情報を受信し、当該受信した応答情報を格納して管理する応答情報受信手段と、
前記入力要求制御手段で前記アイソクロナス入力要求が受信されると、前記入力要求指示手段に対して、前記格納している応答情報を格納した順に送出する応答情報送信手段と、を備えること
を特徴とするクライアント装置。
【請求項２】
前記デバイスを識別するための個体情報を取得し、当該個体情報をもとに前記デバイス制御装置に接続されているデバイスを識別する個体情報識別手段を更に備え、
前記アイソクロナス入力要求は、
前記個体情報識別手段で識別された前記デバイスの個体情報を含むことを特徴とする請求項１に記載のクライアント装置。
【請求項３】
前記入力要求制御手段は、更に、前記デバイス制御装置に対して当該アイソクロナス入力要求の送信継続を指示する入力継続要求を一定周期で送信すること
を特徴とする請求項１又は２に記載のクライアント装置。
【請求項４】
前記応答情報送信手段は、前記格納した応答情報に圧縮処理されたデータが含まれている場合、当該圧縮処理されたデータを復元してから送出すること
を特徴とする請求項１又は２に記載のクライアント装置。
【請求項５】
アイソクロナス転送可能なデバイスがローカル接続されているデバイス制御装置に、ネットワークを介して接続されたクライアント装置における制御方法であって、
入力要求指示手段が前記デバイスに対するデータ入力を指示する入力要求指示ステップと、
仮想化制御手段が前記デバイスを直接接続されているようにシミュレートする仮想化制御ステップと、
前記入力要求指示ステップにおいて、前記デバイスに対してアイソクロナス転送によるデータ入力要求が指示されると、入力要求生成手段がアイソクロナス入力要求を生成して送出する入力要求生成ステップと、
入力要求制御手段が前記入力要求生成ステップにおいて送出される前記アイソクロナス入力要求を受信する入力要求受信ステップと、
入力要求制御手段が、前記入力要求受信ステップで受信した最初のアイソクロナス入力要求を前記デバイス制御装置に対して送信し、前記最初のアイソクロナス入力要求の受信以後に受信するアイソクロナス入力要求を前記デバイス制御装置に送信しないように制御する入力要求送信ステップと、
応答情報受信手段が前記アイソクロナス入力要求に対する応答情報を受信し、当該受信した応答情報を格納して管理する応答情報受信ステップと、
前記入力要求受信ステップで前記アイソクロナス入力要求が受信されると、応答情報送信手段が、前記入力要求指示手段に対して、前記格納している応答情報を格納した順に送出する応答情報送信ステップと、を備えること
を特徴とする制御方法。
【請求項６】
個体情報識別手段が前記デバイスを識別するための個体情報を取得し、当該個体情報をもとに前記デバイス制御装置に接続されているデバイスを識別する個体情報識別ステップを更に備え、
前記アイソクロナス入力要求は、
前記個体情報識別ステップで識別された前記デバイスの個体情報を含むことを特徴とする請求項５に記載の制御方法。
【請求項７】
前記入力要求送信ステップにおいて、更に、前記デバイス制御装置に対して当該アイソクロナス入力要求の送信継続を指示する入力継続要求を一定周期で送信すること
を特徴とする請求項５又は６に記載の制御方法。
【請求項８】
前記応答情報送信ステップにおいて、前記格納した応答情報に圧縮処理されたデータが含まれている場合、当該圧縮処理されたデータを復元してから送出すること
を特徴とする請求項５又は６に記載の制御方法。
【請求項９】
ネットワークを介してクライアント装置に接続されるとともに、アイソクロナス転送可能なデバイスがローカル接続されたデバイス制御装置であって、
前記クライアント装置からアイソクロナス入力要求を受信する入力要求受信手段と、
前記入力要求受信手段で受信したアイソクロナス入力要求を記憶し、当該記憶したアイソクロナス入力要求を複製する入力要求複製手段と、
前記デバイスに対して、前記入力要求受信手段で受信したアイソクロナス入力要求または前記入力要求複製手段に従って前記複製されたアイソクロナス入力要求を所定の送信周期で送信する入力要求送信手段と、
前記アイソクロナス入力要求または前記複製されたアイソクロナス入力要求に対する応答情報を前記デバイスから受信し、当該受信した応答情報を前記クライアント装置に対して送信する応答情報送受信手段と、を備えること
を特徴とするデバイス制御装置。
【請求項１０】
前記入力要求受信手段は、デバイスを識別するための個体情報を含むアイソクロナス入力要求を受信し、
前記入力要求送信手段は、前記入力要求受信手段で受信したアイソクロナス入力要求に含まれる個体情報により識別したデバイスに対して、当該アイソクロナス入力要求を送信し、
応答情報送受信手段は、前記受信した応答情報を前記個体情報により識別されたデバイスに対して送信することを特徴とする請求項９に記載のデバイス制御装置。
【請求項１１】
前記入力要求送信手段は、前記入力要求受信手段によって前記クライアント装置からの入力継続要求が一定周期で受信されている間、前記複製されたアイソクロナス入力要求を所定の送信周期で送信するように制御すること
を特徴とする請求項９又１０に記載のデバイス制御装置。
【請求項１２】
前記入力要求送信手段は、前記入力要求受信手段によって前記入力継続要求が一定期間受信されない場合、前記複製されたアイソクロナス入力要求の送信を停止すること
を特徴とする請求項１１に記載のデバイス制御装置。
【請求項１３】
前記入力要求受信手段が前記クライアント装置から送信される所定の切り替え要求を受信すると、前記入力要求送信手段は、前記複製されたアイソクロナス入力要求の送信を停止すること
を特徴とする請求項９又１０に記載のデバイス制御装置。
【請求項１４】
前記応答情報送受信手段は、更に、前記受信した応答情報のデータを圧縮して送信するデータ圧縮手段を備えること
を特徴とする請求項９又１０に記載のデバイス制御装置。
【請求項１５】
ネットワークを介してクライアント装置に接続されるとともに、アイソクロナス転送可能なデバイスがローカル接続されたデバイス制御装置における制御方法であって、
前記クライアント装置からアイソクロナス入力要求を受信する入力要求受信ステップと、
入力要求複製手段が前記入力要求受信ステップにおいて受信したアイソクロナス入力要求を記憶し、当該記憶したアイソクロナス入力要求を複製する入力要求複製ステップと、
入力要求送信手段が前記デバイスに対して、前記アイソクロナス入力要求または前記複製されたアイソクロナス入力要求を所定の送信周期で送信する入力要求送信ステップと、
応答情報送受信手段が前記アイソクロナス入力要求または前記複製されたアイソクロナス入力要求に対する応答情報を前記デバイスから受信し、当該受信した応答情報を前記クライアント装置に対して送信する応答情報送受信ステップと、を備えること
を特徴とするデバイス制御方法。
【請求項１６】
入力要求受信ステップは、デバイスを識別するための個体情報を含むアイソクロナス入力要求を受信し、
入力要求送信ステップは、前記入力要求受信ステップで受信したアイソクロナス入力要求に含まれる個体情報により識別したデバイスに対して、当該アイソクロナス入力要求を送信し、
応答情報送受信ステップは、前記受信した応答情報を前記個体情報により識別されたデバイスに対して送信することを特徴とする請求項１５に記載のデバイス制御方法。
【請求項１７】
前記入力要求受信ステップで前記クライアント装置からの入力継続要求が一定周期で受信されている間、前記入力要求送信ステップにおいて、前記複製されたアイソクロナス入力要求を所定の送信周期で送信するように制御すること
を特徴とする請求項１５又は１６に記載のデバイス制御方法。
【請求項１８】
前記入力要求受信ステップで前記入力継続要求が一定期間受信されない場合、前記入力要求送信ステップにおいて、前記複製されたアイソクロナス入力要求の送信を停止すること
を特徴とする請求項１７に記載のデバイス制御方法。
【請求項１９】
前記入力要求受信ステップが前記クライアント装置から送信される所定の切り替え要求を受信すると、前記入力要求送信ステップは、前記複製されたアイソクロナス入力要求の送信を停止すること
を特徴とする請求項１５又は１６に記載のデバイス制御方法。
【請求項２０】
前記応答情報送受信ステップは、更に、前記受信した応答情報のデータを圧縮して送信するデータ圧縮ステップを備えること
を特徴とする請求項１５又は１６に記載のデバイス制御方法。
【請求項２１】
請求項１乃至４のいずれか１項に記載のクライアント装置と、請求項９乃至１４のいずれか１項に記載のデバイス制御装置と、前記デバイス制御装置にローカル接続され、アイソクロナス転送可能なデバイスと、から構成されること
を特徴とするデバイス制御システム。
【手続補正２】
【補正対象書類名】明細書
【補正対象項目名】０００９
【補正方法】変更
【補正の内容】
【０００９】
上記の課題を解決するために、請求項１に記載のクライアント装置は、アイソクロナス転送可能なデバイスがローカル接続されているデバイス制御装置に、ネットワークを介して接続されたクライアント装置であって、前記デバイスに対するデータ入力を指示する入力要求指示手段と、前記デバイスが直接接続されているようにシミュレートする仮想化制御手段と、前記入力要求指示手段から前記デバイスに対してアイソクロナス転送によるデータ入力要求が指示されると、アイソクロナス入力要求を生成して送出する入力要求生成手段と、前記入力要求生成手段から送出される前記アイソクロナス入力要求を受信し、当該受信した最初のアイソクロナス入力要求を前記デバイス制御装置に対して送信し、前記最初のアイソクロナス入力要求の受信以後に受信するアイソクロナス入力要求を前記デバイス制御装置に送信しないように制御する入力要求制御手段と、前記アイソクロナス入力要求に対する応答情報を受信し、当該受信した応答情報を格納して管理する応答情報受信手段と、前記入力要求制御手段で前記アイソクロナス入力要求が受信されると、前記入力要求指示手段に対して、前記格納している応答情報を格納した順に送出する応答情報送信手段と、を備えることを特徴とする。
【手続補正３】
【補正対象書類名】明細書
【補正対象項目名】００１０
【補正方法】変更
【補正の内容】
【００１０】
また、上記の課題を解決するために、請求項９に記載のデバイス制御装置は、ネットワークを介してクライアント装置に接続されるとともに、アイソクロナス転送可能なデバイスがローカル接続されたデバイス制御装置であって、前記クライアント装置からアイソクロナス入力要求を受信する入力要求受信手段と、前記入力要求受信手段で受信したアイソクロナス入力要求を記憶し、当該記憶したアイソクロナス入力要求を複製する入力要求複製手段と、前記デバイスに対して、前記入力要求受信手段で受信したアイソクロナス入力要求または前記入力要求複製手段に従って前記複製されたアイソクロナス入力要求を所定の送信周期で送信する入力要求送信手段と、前記アイソクロナス入力要求または前記複製されたアイソクロナス入力要求に対する応答情報を前記デバイスから受信し、当該受信した応答情報を前記クライアント装置に対して送信する応答情報送受信手段と、を備えることを特徴とする。